(57)【特許請求の範囲】
【請求項１】
握持部が設けられた釣竿であって、一端側が釣竿の竿杆に直接に接触され他端側が前記握持部の外周領域へと延在されて成る振動伝達片を有し、前記振動伝達片の他端側は、前記握持部の外表面から間隙を隔てて延びることを特徴とする釣竿。
【請求項２】
前記振動伝達片は、前記握持部と接触することなく、前記竿杆の外表面に達するように前記握持部に形成された通孔に挿通されることを特徴とする請求項１に記載の釣竿。
【請求項３】
前記振動伝達片の他端側が前記握持部の長手方向に延びる指載せ部を有することを特徴とする請求項１または請求項２に記載の釣竿。
【請求項４】
前記振動伝達片が前記握持部よりも硬質な材料から成ることを特徴とする請求項１ないし請求項３のいずれか１項に記載の釣竿。
【発明の詳細な説明】
【技術分野】
【０００１】
本発明は、釣竿に関し、特に手元側の握持部で魚信等を感じとることができる釣竿に関する。
【背景技術】
【０００２】
一般に、釣りでは、浮きの動きによって、あるいは、釣竿を通じて直接に伝わる振動によって、魚の当たりが見極められる。
【０００３】
また、釣竿には、竿杆を直接に握持するタイプのものと、竿杆の手元側外周に設けられる握持部を握るタイプのものとがある。前者のタイプの釣竿は、竿杆を握る手に直接に魚信等の振動が伝わるため、魚の当たりやルアーの泳動などを感じ取り易いという利点があるが、竿杆を握る手が滑ったり、竿杆を長時間握っていると手が痛くなるなどの問題が生じる場合もある。一方、後者のタイプの釣竿は、握持部が設けられているため、釣竿を握り易い（手が滑ったり痛くなったりしない）という利点がある反面、竿杆に直接に触れないため、握持部を握る手に魚信等の振動が伝わり難く、魚の当たりやルアーの泳動などを感じ取ることが難しいという欠点がある。
【０００４】
このため、例えば特許文献１には、握持部を握る手に魚信等の振動を伝え易くする釣竿構造が開示されている。具体的には、竿素材（竿杆）に接触するように握持部に伝動本体部を埋め込んで、伝動本体部の端部を握持部の表面に面一に臨むように位置させている。
【先行技術文献】
【特許文献】
【０００５】
【特許文献１】特開２００９−２７３３７４号
【発明の概要】
【発明が解決しようとする課題】
【０００６】
しかしながら、特許文献１に開示される構造では、伝動本体部が握持部に接触した状態で埋め込まれているため、竿杆から伝動本体部を通じて伝わる魚信等の振動が握持部に緩和（吸収）されてしまい。伝動本体部の端部に振動がうまく伝わらない。また、伝動本体部の端部が握持部の表面と面一であるため、握持部を握る手の指腹の一部だけが伝動本体部の端部に触れている状態にすぎず（伝動本体部の端部に触れる指が同時に握持部にも触れている状態であり）、したがって、魚の当たりやルアーの泳動などを感じ取り難い。
【０００７】
本発明は、前記事情に着目してなされたものであり、その目的とするところは、握持部で魚信等を良好に感じとることができる釣竿を提供することにある。
【課題を解決するための手段】
【０００８】
前記課題を解決するために、本発明は、握持部が設けられた釣竿であって、一端側が釣竿の竿杆に直接に接触され他端側が前記握持部の外周領域へと延在されて成る振動伝達片を有し、前記振動伝達片の他端側は、前記握持部の外表面から間隙を隔てて延びることを特徴とする。
【０００９】
このような構成によれば、握持部を有するため、釣竿を握り易いとともに、竿杆に直接に接触する振動伝達片が握持部の外周領域へと延在されている（振動伝達片の他端が、握持部の表面と面一ではなく、握持部の表面外へと延び出ている）ため、握持部を握る手の指（指腹）を握持部から離した状態で（握持部に触れないで）振動伝達片に触れさせることができ、したがって、竿杆から振動伝達片を通じて伝わる魚信等の振動（魚の当たりやルアーの泳動など）を握持部によって緩和されることなく指の腹全体で明確に感じ取ることが可能になる。
【００１０】
なお、上記構成において、握持部の「外周領域」とは、握持部の外周面を取り囲む領域（握持部の外周面の径方向外側の領域、すなわち、握持部の長手方向先端を通って握持部の長手方向に対して垂直な面と、握持部の長手方向基端を通って握持部の長手方向に対して垂直な面との間に位置する空間）のことである。
【００１１】
また、上記構成において、振動伝達片の他端側は、握持部を握る手の指で触れることができる位置まで延在することが好ましい。この場合、振動伝達片の他端側は、握持部の長手方向に延びる指載せ部を有することが好ましい。また、釣竿がリール載置を有する場合、振動伝達片の他端側は、リール載置部の設置領域まで延びることが更に好ましい。この場合、振動伝達片の他端側は、リール載置部の設置側（リール配置側）へと延びてもよく、あるいは、リール載置部の設置側と反対の側へと延びてもよい。
【００１２】
また、上記構成において、振動伝達片の他端側は、握持部に固定されない自由端である（すなわち、振動伝達片がその一端側で片持ち支持される）ことが好ましい。また、上記構成において、振動伝達片の一端側は、握持部の内側で竿杆に接触されて（取り付けられて）握持部から突出されてもよく、あるいは、握持部の外側で竿杆に接触されて（取り付けられて）そのまま握持部の外周領域へと延在されてもよい。更に、上記構成において、振動伝達片は、その全体にわたって握持部と接触しないことが更に好ましい（無論、一部が握持部に接触しても構わない）。また、上記構成において、振動伝達片は、可撓性を有し、指で押さえると弾性変形する素材で形成されるのが好ましい。その場合、振動伝達片は握持部よりも硬質な材料から成ることが更に好ましい。
【発明の効果】
【００１３】
本発明によれば、握持部で魚信等を良好に感じとることができる釣竿を提供することができる。
【図面の簡単な説明】
【００１４】
【図１】本発明の第１の実施形態に係る釣竿の全体側面図である。
【図２】図１の釣竿の握持部の拡大断面図である。
【図３】振動伝達片が線材から成る場合の図１の釣竿の握持部の平面図である。
【図４】振動伝達片が板材から成る場合の図１の釣竿の握持部の平面図である。
【図５】第１の変形例に係る振動伝達片を伴う握持部の拡大断面図である。
【図６】第２の変形例に係る振動伝達片を伴う握持部の拡大断面図である。
【図７】握持部の変形例を示す拡大断面図である。
【図８】第３の変形例に係る振動伝達片を伴う握持部の拡大断面図である。
【図９】第４の変形例に係る振動伝達片を伴う握持部の拡大断面図である。
【発明を実施するための形態】
【００１５】
以下、添付図面を参照して、本発明に係る釣竿の実施形態について説明する。
【００１６】
図１〜図４は本発明の第１の実施形態を示している。図１に示されるように、本実施形態の釣竿１は、例えば磯や防波堤で使用される外ガイド付きの振り出し竿であり、穂先側の複数の竿杆が元竿側の竿杆内に順次収納可能に形成されている。具体的には、釣竿１は、穂先２を有する先竿（竿杆）４と、元竿（竿杆）５とから成っており、これらの竿杆にはそれぞれ穂先も含めて必要な数の釣糸ガイド３が設けられている。
【００１７】
また、元竿５の手元側には、釣用リール９を装着可能なリール取り付け部２０が設けられる。この場合、リール取り付け部２０は、元竿（竿杆）５の外周に嵌着される筒状体としてのリールシート７を有する。リールシート７は、前端側に固定フード７ａを有するとともに、リール９の脚部９ａの竿取付部９ｂを載置できる平坦面としてのリール載置部７ｂを有する。そして、リール取り付け部２０は、リール載置部７ｂに載置されるリール９の竿取付部９ｂを、リールシート７に移動可能（長手方向に移動可能）に取り付けられる移動フード２３と固定フード７ａとの間で挟持し、その挟持状態をリールシート７に螺着されるナット部２４の締め付けにより保持することで、リール９を釣竿１に対して取り付けるようになっている。
【００１８】
また、元竿５の手元側には、リールシート７の一部を外側から覆うように、手で握るための握持部８が設けられている。握持部８は、主に、コルク、木材、ゴム、合成樹脂（合成樹脂発泡材を含む）などによって形成されており、リールシート７の前方側から元竿５の基端に至るまで延在している。
【００１９】
また、本実施形態では、竿杆に伝わる魚信等の振動（魚の当たりやルアーの泳動など）を受けて伝達するための振動伝達片（突片）３０が握持部８に設けられている。この振動伝達片３０は、例えば繊維強化樹脂によって形成されており、その一端側が握持部８の先端部に形成された通孔４２に挿通されて位置されている。ここで、通孔４２は、握持部８の外表面で開口するとともに、その前端側が元竿（竿杆）５の外表面に達するように延びており、具体的には、元竿５の外表面に沿って長手方向に延びる前端側孔部と、そこから握持部８の外表面の開口へと斜めに延びる傾斜孔部とから成る。
【００２０】
振動伝達片３０は、一端側が元竿５に直接に接触されるとともに、他端側が握持部８の外周領域Ｒへと延在されて成る。具体的には、振動伝達片３０は、握持部８の通孔４２の前端側孔部内で糸４０により元竿５に対して糸巻き固定される（元竿５と直接に接触する）先端部３０ａと、通孔３０の傾斜孔部に沿って斜めに延びる傾斜部３０ｂと、通孔４２から突出して握持部８の外表面から一定の間隙Ｓを隔てて握持部８の長手方向に沿って握持部８の外表面と略平行に延びる指載せ部（握持部８を握る手の指Ｆを載せるための部位）３０ｃと、握持部８の外表面に向けて内側に斜めに折り返される基端部３０ｄとから成る。
【００２１】
ここで、握持部８の「外周領域Ｒ」とは、握持部８の外周面を取り囲む領域（握持部８の外周面の径方向外側の領域、すなわち、握持部８の長手方向先端を通って握持部の長手方向に対して垂直な面Ｐ１と、握持部８の長手方向基端を通って握持部８の長手方向に対して垂直な面Ｐ２との間に位置する空間）のことである。
【００２２】
また、本実施形態において、指載せ部３０ｃおよび基端部３０ｄを含む振動伝達片３０の他端側は、握持部８を握る手の指で触れることができる位置まで延在している。特に、本実施形態では、振動伝達片３０の他端側がリールシート７の設置領域まで延びている。また、本実施形態では、振動伝達片３０の他端側がリール載置部７ｂの設置側（リール９配置側）と反対の側で延在している。
【００２３】
また、本実施形態において、振動伝達片３０の他端側は、握持部８に固定されない自由端として形成される（すなわち、振動伝達片３０がその一端側の先端部３０ａで片持ち支持される）。特に、本実施形態において、振動伝達片３０は、その他端側が握持部８と接触せず、好ましくは全体にわたって（通孔４２内も含めて）握持部８と接触しない。これによれば、竿杆から振動伝達片３０を通じて伝わる魚信等の振動が握持部８によって大きく緩和（吸収）されないで済む。
【００２４】
また、本実施形態の振動伝達片３０は、可撓性を有し、指で押さえると弾性変形する素材で形成されている、特に、振動伝達片３０は、握持部８よりも硬質な材料から成り、図３に示されるように線材（例えば金属線）を屈曲させて形成され、あるいは、図４に示されるように板材によって形成される。
【００２５】
以上説明したように、本実施形態によれば、竿杆に直接に接触する振動伝達片３０が握持部８の外周領域Ｒへと延在されている（振動伝達片３０の他端が、握持部８の表面と面一ではなく、握持部８の表面外へと延び出ている）ため、握持部８を握る手の指（指腹）Ｆを握持部８から離した状態で（握持部に触れないで・・・図２参照）振動伝達片３０に触れさせることができ、したがって、竿杆から振動伝達片３０を通じて伝わる魚信等の振動（魚の当たりやルアーの泳動など）を握持部８によって緩和されることなく指Ｆの腹全体で明確に感じ取ることが可能になる。
【００２６】
図５は振動伝達片３０の第１の変形例を示している。この変形例では、振動伝達片３０がリール載置部７ｂの設置側で延びている。また、この場合、振動伝達片３０の指載せ部３０ｃは、移動フード２３の外面形状に合わせて若干斜め下方へ延びており、前述した実施形態のように親指で触れるのではなく、人差し指で触れることができる。なお、それ以外の構成は前述した実施形態と同じである。したがって、前述した実施形態と同様の作用効果を得ることができる。
【００２７】
図６は振動伝達片３０の第２の変形例を示している。この変形例では、振動伝達片３０の内側に斜めに折り返される基端部３０ｄが握持部８の外表面に形成された凹部５０内に収納されている。なお、それ以外の構成は前述した実施形態と同じである。したがって、前述した実施形態と同様の作用効果を得ることができるとともに、振動伝達片３０基端部３０ｄが凹部５０内に収納されているため、振動伝達片３０の基端側に釣糸や異物等が引っ掛かることを防止できる。
【００２８】
図７は握持部８の変形例を示している。この変形例では、握持部８は、通孔４２を有する前側握持部８ａと、リールシート７と一体を成す中央握持部８ｂと、元竿５の基端側に位置する後側握持部８ｃとから成っている。ここで、前側握持部８ａおよび後側握持部８ｃは発泡合成樹脂等によって形成され、また、中央握持部８ｂは前側握持部８ａよりもやや硬質な材料（ＡＢＳ等）により形成される。なお、それ以外の構成は前述した実施形態と同じである。したがって、前述した実施形態と同様の作用効果を得ることができる。
【００２９】
図８は振動伝達片３０の第３の変形例を示している。この変形例では、振動伝達片３０の先端部３０ａが糸４０によって固定されず、握持部８によって保持されている。具体的には、握持部８の通孔４２Ａの内径が前述した実施形態の通孔４２よりも小径に形成され、振動伝達片３０が通孔４２Ａにおいて握持部８と接触（圧接）した状態で保持される。この場合、振動伝達片３０の先端部３０ａは元竿５と直接に接触するように位置される。なお、振動伝達片３０を通孔４２Ａで保持するのではなく、振動伝達片３０を握持部８の内周面と元竿５の外周面との間で挟持してもよい。それ以外の構成は前述した実施形態と同じであり、したがって、前述した実施形態と同様の作用効果を得ることができる。
【００３０】
図９は振動伝達片３０の第４の変形例を示している。前述した実施形態では、振動伝達片３０の一端側（先端側）が、握持部８の内側で元竿５に接触されて（取り付けられて）握持部８から突出されていたが、この変形例では、振動伝達片３０Ａが、握持部８の外側（握持部８の前方側）で元竿５に接触して取り付けられて（糸４０により糸巻き固定されて）そのまま握持部８の外周領域Ｒへと延在されている。具体的には、振動伝達片３０Ａは、握持部８の前方側で元竿５に接触して糸４０により固定される先端部３０Ａａと、そこから握持部８の外周領域Ｒへと立ち上がるように延びる延在部３０Ａｂと、握持部８の外表面に向けて内側に折り返される基端部３０Ａｃとから成る。ここで、握持部８の外周領域Ｒに位置する延在部３０Ａｂの基端側は前述した指載せ部として機能し得る。なお、それ以外の構成は前述した実施形態と同じであり、したがって、前述した実施形態と同様の作用効果を得ることができる。
【符号の説明】
【００３１】
１  釣竿
８  握持部
３０  振動伝達片
３０ｃ  指載せ部
【図１】
0005637923.tif 000002
【図２】
0005637923.tif 000003
【図３】
0005637923.tif 000004
【図４】
0005637923.tif 000005
【図５】
0005637923.tif 000006
【図６】
0005637923.tif 000007
【図７】
0005637923.tif 000008
【図８】
0005637923.tif 000009
【図９】
0005637923.tif 000010